(57)【要約】【課題】一般家庭で主婦等が簡単に交換することが出来るドア・ノブを提供すること。【解決手段】頭部と頸部とからなるドア・ノブ及びドアの所定の箇所に取り付けられるラッチ部ボックスを有するプレートと，そのラッチ部ボックスに接合固定されるラッチ回転軸部材とからなり，  当該頸部は、ソフトボタンと，頸部穴部と，当該ソフトボタンの内部から頸部穴部所定の位置迄伸びた上部及び下部のピン押し下げ手段と，当該ラッチ回転軸部材を受け入れるための空室部と，ラッチ回転軸部材の存在する側に設けられたピンガイド溝と，からなり，  当該ラッチ回転軸部材は、ラッチ回転軸と指示線を有する防護板部材と，空洞部と，その空洞部の上部および下部に取り付けられたノブ止めピン手段と，上部と下部のノブ止めピン手段の間に設けられた弾性部材と，ノブ止めピン手段に接するように設けられたノブ止めピン押さえ板部材と，からなる。  【選択図】図２  
2005179972.tif 000002
【特許請求の範囲】
【請求項１】
頭部と頸部とからなるドア・ノブ及びドアの所定の箇所に取り付けられるラッチ部ボックスを有するプレートと，そのラッチ部ボックスに接合固定されるラッチ回転軸部材とからなり，
当該頸部は、その外周部の所定箇所の上部及び下部に設けられたソフトボタンと，当該上部、及び下部に設けられたソフトボタンの位置から頸部の内部に設けられている頸部穴部と，上部、及び下部のソフトボタンの内側面の上部に接着され、当該ソフトボタンの内部から頸部穴部所定の位置迄伸びた上部及び下部のピン押し下げ手段と，当該ラッチ回転軸部材を受け入れるための空室部と，ラッチ回転軸部材の存在する側に設けられたピンガイド溝と，からなり，
当該ラッチ回転軸部材は、ラッチ回転軸とラッチ回転軸の先端部に設けられた指示線を有する防護板部材と，ラッチ回転軸の所定の箇所に設けられた空洞部と，その空洞部の上部および下部に取り付けられたノブ止めピン手段と，上部と下部のノブ止めピン手段の間に設けられた弾性部材と，ラッチ回転軸の上下の内側でノブ止めピン手段に接するように設けられたノブ止めピン押さえ板部材と，からなることを特徴とする交換可能なドア・ノブ。
【請求項２】
前記ピン押し下げ手段は、ピン押し下げ棒と，ソフトボタンの内側面の上部、下部にも接着されたピン押し下げ棒の頭部と，ピン押し下げ棒の上部、下部に設けられたピン押し下げ棒先端部材と，ピン押し下げ棒先端部材の上部、下部に設けられたピン押し下げ棒バネ支え部材と、ピン押し下げ棒の頭部からピン押し下げ棒バネ支え部材との間に設けられた弾性部材とからなることを特徴とする請求項１記載の交換可能なドア・ノブ。
【請求項３】
前記弾性部材がバネであることを特徴とする請求項１又は２記載の交換可能なドア・ノブ。
【発明の詳細な説明】
【技術分野】
【０００１】
本発明は、ワンタッチで簡単に交換できるドア・ノブに関する。
【背景技術】
【０００２】
従来、ドア・ノブはドアにネジ等で固定されており、そのため、ドア・ノブが破損したり、ひどく汚れたりした場合等に取り換えることはあっても、一般的にはほとんど取り換えることがなく半永久的にドアに固定されている。
【０００３】
これに対し、開閉部部材からの取り外しが容易で、しかも被取付面を汚すことなく開閉部材にドア・ノブを後付けできるようにして、開閉部材の開閉を容易にする、という技術がある。この技術は開閉部材の被取付面に吸着可能な吸盤本体と、この吸盤本体の反吸着面側の中央部に取り付けられたノブ部材と、を備えているものである（例えば、特許文献１参照。）。
【０００４】
【特許文献１】特開２０００−２７４９８号公報（［０００４］，［０００５］）
【発明の開示】
【発明が解決しようとする課題】
【０００５】
しかし、従来技術のようにドアにドア・ノブが固定されている場合は、そのドア・ノブが汚くなる等不都合が生じた場合でもその不都合があまり支障をきたさない場合はそのまま使用している場合が多いものである。固定しているドア・ノブを取り換えるのは簡単ではないからである。
【０００６】
又、前記特許文献１における技術は取り外しが容易なドア・ノブが示されているが、簡単にドア・ノブを交換する、という技術は示されていない。
【０００７】
そこで、本発明は、一般家庭で主婦等が簡単に交換することが出来るドア・ノブを提供することを目的とする。
【課題を解決するための手段】
【０００８】
前記課題を解決するため、本発明の交換可能なドア・ノブは，
頭部と頸部とからなるドア・ノブ及びドアの所定の箇所に取り付けられるラッチ部ボックスを有するプレートと，そのラッチ部ボックスに接合固定されるラッチ回転軸部材とからなり，
当該頸部は、その外周部の所定箇所の上部及び下部に設けられたソフトボタンと，当該上部、及び下部に設けられたソフトボタンの位置から頸部の内部に設けられている頸部穴部と，上部、及び下部のソフトボタンの内側面の上部に接着され、当該ソフトボタンの内部から頸部穴部所定の位置迄伸びた上部及び下部のピン押し下げ手段と，当該ラッチ回転軸部材を受け入れるための空室部と，ラッチ回転軸部材の存在する側に設けられたピンガイド溝と，からなり，
当該ラッチ回転軸部材は、ラッチ回転軸とラッチ回転軸の先端部に設けられた指示線を有する防護板部材と，ラッチ回転軸の所定の箇所に設けられた空洞部と，その空洞部の上部および下部に取り付けられたノブ止めピン手段と，上部と下部のノブ止めピン手段の間に設けられた弾性部材と，ラッチ回転軸の上下の内側でノブ止めピン手段に接するように設けられたノブ止めピン押さえ板部材と，からなるものである。
【０００９】
又、前記ピン押し下げ手段は、ピン押し下げ棒と，ソフトボタンの内側面の上部、下部に接着されたピン押し下げ棒の頭部と，ピン押し下げ棒の上部、下部に設けられたピン押し下げ棒先端部材と，ピン押し下げ棒先端部材の上部、下部に設けられたピン押し下げ棒バネ支え部材と、ピン押し下げ棒の頭部からピン押し下げ棒バネ支え部材との間に設けられた弾性部材とからなることが好適である。
【００１０】
さらに、前記弾性部材がバネであることが好適である。
【発明の効果】
【００１１】
本発明は上記のように構成されるので、一般家庭で主婦等が簡単にドア・ノブを交換することが出来、交換においてはドアのノブ（取手）部分だけ交換すればよく、ドア内の金具部は交換する必要がなく、結果的に経済的である。
【００１２】
又、簡単にノブを交換できることにより、冬季（乾燥期）には、静電気の発生しにくいセラミック系のノブを、夏は見た目も涼しい感じのクリスタルガラス系のノブを、使用する、といった具合にシーズンに応じた快適環境の確保維持を助長できるものである。
【００１３】
又、古くなったノブ、汚れたノブをどうしても換えなければならない状態でなくても簡単に交換出来るものである。
【００１４】
さらに、来客用等特別な日には、ドア・ノブを簡単に、室内の装飾に応じて、好みのノブ（たとえばカラフルなノブ）にワンタッチで交換でき、室内の雰囲気を向上させることが出来るものである。
【発明を実施するための最良の形態】
【００１５】
本発明の最良の形態の一例を図面にしたがって説明する。
図１はドア・ノブをドアに取付ようとする状態を示す図であり、ドア・ノブ２１は頭部２３と頸部７とからなり、ドア１９に固定して設置されたプレート１にラッチ回転軸部材６が接合固定して設置され、そのラッチ回転軸２の指示線５にソフトボタン８，８’を合わせるようにして、ドア・ノブ２１がラッチ回転軸部材６に取り付けられようとする状態を示している。
プレート１は、ドア１９本体内部に埋め込まれ、ドア１９に直接ねじ釘等で取り付けられたラッチ部ボックス（図示せず）を有し、ラッチ回転軸２が当該ラッチ部ボックスに接合固定されるものである。
図示していないが、ラッチ回転軸部材６はラッチ部ボックスに接合固定されたあと、ラッチ部ボックスに設けられた軸用止め輪（スナップリング）等により回転出来るようになっている。
【００１６】
図２はドア・ノブの頸部がラッチ回転軸部材に挿入する状態を示す図である。
ドア・ノブ２１の頸部７はその外周部の所定の箇所の上部、及び下部にソフトボタン８，８’が設けられている。ソフトボタン８，８’は中空半球体である。又、上部のソフトボタン８から下部のソフトボタン８’にわたって頸部７の内部に設けられている頸部穴部１６があり、頸部７の内部には、さらに頸部穴部１６に対して直角方向にラッチ回転軸部材６を受け入れるための空室部１５があり、空室部１５の一方側、即ちラッチ回転軸部材６の存在する側に設けられたピンガイド溝１４がある。
【００１７】
頸部穴部１６には、上部及び下部のソフトボタン８，８’の内側面の上部に接着されたピン押し下げ手段があり、そのピン押し下げ手段は、ピン押し下げ棒９，９’とソフトボタン８，８’の内側面の上部、下部に取り付けられたピン押し下げ棒の頭部１３，１３’と、ピン押し下げ棒９，９’の下部、上部に設けられたピン押し下げ棒先端部材１２，１２’と、ピン押し下げ棒先端部材１２，１２’の上部、下部に設けられたピン押し下げ棒バネ支え部材１１，１１’と、ピン押し下げ棒の頭部１３，１３’からピン押し下げ棒バネ支え部材１１，１１’との間に設けられた弾性部材１０，１０’から構成されている。弾性部材１０，１０’はバネで出来ている。又ピン押し下げ棒バネ支え部材１１，１１’は弾性部材（バネ）１０，１０’を支えるネジ付きの板であり、ピン押し下げ棒９，９’が頸部穴部１６からの飛び出しを防止するものである。
【００１８】
ドア・ノブ２１の空室部１５を、ラッチ回転軸部材６に、矢印方向に挿入していくが、その挿入時、上部、下部のソフトボタン８，８’を図１，図３に示されている指示線５に合わせるようにして挿入していくものである。指示線５に合わせるとドア・ノブ２１の頸部７の位置がずれずに比較的簡単にラッチ回転軸部材６にドア・ノブ２１を挿入することが出来るものである。
【００１９】
ラッチ回転軸部材６は、ラッチ回転軸２の先端部に設けられた指示線５を有する防護部材１７と、ラッチ回転軸２の所定の箇所に設けられた空洞部１８と、その空洞部１８の上部、下部に設けられた、下部に弾性部材２０を収容する凹部２２，２２’を有するノブ止めピン手段３，３’と、上部から下部のピン手段３，３’の間に設けられた弾性部材２０（弾性部材はバネである。）、ラッチ回転軸２の内側の上部と下部にノブ止めピン手段３，３’に接するように設けられたノブ止めピン押さえ板部材４，４’とからなる。防護部材１７はポリウレタン系又はゴム系の材質のものを使用し、ドア・ノブ２１を取り付ける時にラッチ回転軸２の端を識別容易にするとともに、クッションとなり怪我を防止する役割をするものである。ノブ止めピン押さえ板部材４，４’はノブ止めピン手段３，３’が空洞部１８から飛び出すのを防止し、かつノブ止めピン手段３，３’をスムーズに上下させるガイド機能をもっている。
【００２０】
空室部１５にラッチ回転軸部材６を矢印方向に挿入していくと、ノブ止めピン手段３，３’がピンガイド溝１４，１４’に当たり、ピンガイド溝１４，１４’に当ることにより徐々にノブ止めピン手段３，３’が空洞部１８の内に押し下げられ、図４に示すように頸部穴部１６に、ピッタリ収納することによりドア・ノブがラッチ回転軸部材６と完全に嵌合し、ドア・ノブ２１が取り付けられることになる。ラッチ回転軸部材６はドア・ノブ２１を回転すると回転し、ドア１９を開閉することになる。
【００２１】
ドア・ノブ２１を取り外す場合は、図５に示すように上部、下部のソフトボタン８，８’を矢印方向に押し、ピン押し下げ棒９，９’を下げ、さらにピン押し下げ先端部材１２，１２’を押し下げて、それによりノブ止めピン手段３，３’をノブ止めピン押え板部材４，４’まで押し下げる。ノブ止めピン押え板部材４，４’まで押し下げた状態でドア・ノブ２１を引張ればドア・ノブ２１が外れるものである。ソフトボタン８，８’は厚さが薄くても弾力性、復元性に富み、触れてもソフト感覚な材質を使用するものである。たとえばポリウレタン系樹脂である。
【図面の簡単な説明】
【００２２】
【図１】ドア・ノブをドアに取り付けようとする状態を示す図である。
【図２】ドア・ノブの頸部がラッチ回転軸部材に挿入する状態を示す図である。
【図３】ラッチ回転軸部材の斜視図である。
【図４】ドア・ノブの頸部とラッチ回転軸部材が連接した状態を示す図である。
【図５】ドア・ノブを取り外し可能にする状態を示す図である。
【符号の説明】
【００２３】
１    プレート
２    ラッチ回転軸
３，３’  ノブ止めピン手段
４，４’  ノブ止めピン押え板部材
５    指示線
６    ラッチ回転軸部材
７    頸部
８，８’  ソフトボタン
９，９’ピン押し下げ棒
１０，１０’  弾性部材
１１，１１’  ピン押し下げ棒バネ支え部材
１２，１２’  ピン押し下げ棒先端部材
１３，１３’  ピン押し下げ棒の頭部
１４    ピンガイド溝
１５    空室部
１６    頸部穴部
１７    防護部材
１８    空洞部
１９    ドア
２０    弾性部材
２１    ドア・ノブ
２２，２２’  凹部
２３    頭部
【図１】
2005179972.tif 000003
【図２】
2005179972.tif 000004
【図３】
2005179972.tif 000005
【図４】
2005179972.tif 000006
【図５】
2005179972.tif 000007